(57)【要約】    【課題】  閃光装置に発光開始信号を伝達する端子と交信用の接続端子部とが個別に形成されている場合でも、この端子の接続確認処理を閃光発光を試行することなく行えるようにする。    【解決手段】  カメラマイコン１００はＸ端子とカメラマイコン１００との接続確認準備信号をＤＣＳ端子を介して閃光装置マイコン２００に送信した後、スイッチ１０２をＯＮすることによりＸ端子に発光開始信号を送信する。閃光装置マイコン２００は、接続確認準備信号を受信すると、発光動作を禁止した上で発光開始信号をＸ端子上で検出する処理を行い、発光信号を検出したか否かによりＸ端子とカメラマイコン１００とが正常に接続されているか否かを判定する。【選択図】      図１
2005283636.tif 000002
【特許請求の範囲】
【請求項１】
カメラ本体と閃光装置との間で交信を行うための交信用端子と、前記閃光装置に発光開始信号を伝達するための端子とを個別に有するカメラシステムにおいて、
前記カメラ本体は、前記端子と該カメラ本体との接続確認処理を前記交信用端子を介して前記閃光装置に指示する指示手段と、前記指示手段により接続確認処理を指示した後に前記端子に発光開始信号を送信する送信手段とを有し、
前記閃光装置は、前記指示手段により接続確認処理が指示された場合に、発光動作を禁止した上で前記送信手段からの発光開始信号を前記端子上で検出する検出手段と、前記検出手段により前記発光信号を検出したか否かにより前記端子と前記カメラ本体とが正常に接続されているか否かを判定する判定手段を有することを特徴とするカメラシステム。
【請求項２】
前記送信手段は、フォーカルプレーンシャッタの先幕の走行が完了してアパーチャが全開になった時点でＯＮすることにより前記端子に発光開始信号を伝達するスイッチをＯＮすることによって、前記端子に発光開始信号を送信することを特徴とする請求項１に記載のカメラシステム。
【請求項３】
前記判定手段は、前記指示手段により接続確認処理が指示された後の所定時間内に前記発光開始信号を前記端子上で検出できなかった場合に、前記端子と前記カメラ本体とが正常に接続されていないと判定することを特徴とする請求項１又は２に記載のカメラシステム。
【請求項４】
前記判定手段による判定結果を前記カメラ本体に対して報知する報知手段を有することを特徴とする請求項１〜３の何れかに記載のカメラシステム。
【請求項５】
前記カメラ本体は、前記報知手段から正常に接続されていない旨の判定結果が報知された場合に該カメラ本体の表示部により所定の警告表示を行う警告手段を有することを特徴とする請求項４に記載のカメラシステム。
【請求項６】
前記判定手段により正常に接続されていないと判定された場合に前記閃光装置の表示部により所定の警告表示を行うことにより、該判定手段による判定結果を報知する報知手段を有することを特徴とする請求項１〜３の何れかに記載のカメラシステム。
【請求項７】
カメラ本体と閃光装置との間で交信を行うための交信用端子と、前記閃光装置に発光開始信号を伝達するための端子とを個別に有するカメラシステムの制御方法において、
前記カメラ本体は、前記端子と該カメラ本体との接続確認処理を前記交信用端子を介して前記閃光装置に指示する指示工程と、前記指示工程により接続確認処理を指示した後に前記端子に発光開始信号を送信する送信工程とを有し、
前記閃光装置は、前記指示工程により接続確認処理が指示された場合に、発光動作を禁止した上で前記送信工程からの発光開始信号を前記端子上で検出する検出工程と、前記検出工程により前記発光信号を検出したか否かにより前記端子と前記カメラ本体とが正常に接続されているか否かを判定する判定工程とを有することを特徴とするカメラシステムの制御方法。
【請求項８】
閃光装置との間で交信を行うための交信用端子と、前記閃光装置に発光開始信号を伝達するための端子とを個別に有するカメラにおいて、
前記端子と該カメラとの接続確認処理を前記交信用端子を介して前記閃光装置に指示する指示手段と、前記指示手段により接続確認処理を指示した後に前記端子に発光開始信号を送信する送信手段とを有することを特徴とするカメラ。
【請求項９】
カメラとの間で交信を行うための交信用端子と、前記カメラからの発光開始信号を受けるための端子とを個別に有する閃光装置において、
前記端子とカメラとの接続確認処理が前記カメラから指示された場合に、発光動作を禁止した上で前記カメラからの発光開始信号を前記端子上で検出する検出手段と、前記検出手段により前記発光信号を検出したか否かにより前記端子と前記カメラ本体とが正常に接続されているか否かを判定する判定手段とを有することを特徴とする閃光装置。
【請求項１０】
閃光装置との間で交信を行うための交信用端子と、前記閃光装置に発光開始信号を伝達するための端子とを個別に有するカメラの制御プログラムであって、
前記端子と該カメラとの接続確認処理を前記交信用端子を介して前記閃光装置に指示した後に前記端子に発光開始信号を送信する内容を有することを特徴とする制御プログラム。
【請求項１１】
カメラとの間で交信を行うための交信用端子と、前記カメラからの発光開始信号を受けるための端子とを個別に有する閃光装置の制御プログラムであって、
前記端子とカメラとの接続確認処理が前記カメラから指示された場合に、発光動作を禁止した上で前記カメラからの発光開始信号を前記端子上で検出する処理を行い、前記発光信号を検出したか否かにより前記端子と前記カメラ本体とが正常に接続されているか否かを判定する内容を有することを特徴とする制御プログラム。
【発明の詳細な説明】
【技術分野】
【０００１】
本発明は、カメラ本体から閃光装置に発光開始信号を伝達する端子の接続不良検出技術に関するものである。
【背景技術】
【０００２】
従来、閃光発光を試行することなくカメラと閃光装置との接続を確認する場合には、カメラと閃光装置との間の交信用の接続端子部を介して交信を試行し、その試行結果に基づいて交信用の接続端子部が正常に接続されているか否かを検出していた（特開２０００−８９３２８号公報）。
【特許文献１】特開２０００−８９３２８号公報
【発明の開示】
【発明が解決しようとする課題】
【０００３】
しかしながら、上記の従来技術では、閃光装置に発光開始信号を伝達する端子と交信用の接続端子部が個別に形成されている場合、換言すれば、カメラと閃光装置との間の交信用の接続端子を使用せずに閃光装置に発光開始信号を伝達する場合、例えば、フォーカルプレーンシャッタの先幕の走行が完了してアパーチャが全開になった時点でＯＮされるシンクロ接点（以下、Ｘ接点とも称する）に発光開始信号を伝達するように構成した場合は、交信用の接続端子の接続確認を行うことはできるが、シンクロ端子（Ｘ接点）の接続確認を行うことはできなかった。
【０００４】
従って、閃光装置に発光開始信号を伝達する端子と交信用の接続端子部とが個別に形成されている場合には、撮影時に閃光を発光させることができず、露出アンダーの写真を無駄に撮影してしまう場合があった。
【０００５】
そこで、本発明は、閃光装置に発光開始信号を伝達する端子と交信用の接続端子部とが個別に形成されている場合でも、上記端子の接続確認処理を閃光発光を試行することなく行い得るカメラシステム、その制御方法、カメラ、閃光装置、及び制御プログラムを提供することを目的とする。
【課題を解決するための手段】
【０００６】
上記目的を達成するため、本発明は、カメラ本体と閃光装置との間で交信を行うための交信用端子と、前記閃光装置に発光開始信号を伝達するための端子とを個別に有するカメラシステムにおいて、前記カメラ本体は、前記端子と該カメラ本体との接続確認処理を前記交信用端子を介して前記閃光装置に指示する指示手段と、前記指示手段により接続確認処理を指示した後に前記端子に発光開始信号を送信する送信手段とを有し、前記閃光装置は、前記指示手段により接続確認処理が指示された場合に、発光動作を禁止した上で前記送信手段からの発光開始信号を前記端子上で検出する検出手段と、前記検出手段により前記発光信号を検出したか否かにより前記端子と前記カメラ本体とが正常に接続されているか否かを判定する判定手段とを有している。
【発明の効果】
【０００７】
本発明によれば、閃光装置に発光開始信号を伝達する端子と交信用の接続端子部とが個別に形成されている場合でも、上記端子の接続確認処理を閃光発光を試行することなく行い得るカメラシステム、その制御方法、カメラ、閃光装置、及び制御プログラムを提供することが可能となる。
【発明を実施するための最良の形態】
【０００８】
［第１の実施形態］
図１は、第１の実施形態に係るカメラシステムの概略構成を表すブロック図である。カメラ（カメラ本体）は、カメラの動作制御を行うカメラマイコン１００、カメラのモード等を表示する表示部１０１、後述のシンクロ端子（Ｘ端子）をＯＮするためのスイッチ１０２を有している。
【０００９】
カメラと閃光装置との間には接続端子部１１０が設けられている。この接続端子部１１０は、カメラマイコン１００から閃光装置マイコン２００へデータ通信用のクロック信号を送信するＣＬＫ端子、このクロック信号に同期してカメラマイコン１００から閃光装置マイコン２００へのデータを送信するＤＣＳ端子、クロック信号に同期して閃光装置マイコン２００からカメラマイコン１００へデータを送信するＤＳＣ端子、カメラマイコン１００と閃光装置マイコン２００のＧＮＤラインを接続するＧＮＤ端子、閃光装置マイコン２００に発光開始信号を伝達するシンクロ端子（Ｘ端子）で構成されている。
【００１０】
Ｘ端子は、フォーカルプレーンシャッタ（図示省略）の先幕の走行が完了してアパーチャが全開になった時点でスイッチ１０２がオンすることによりオンとなり（すなわち、閃光の発光開始信号が供給され）、閃光が発光される。
【００１１】
ただし、本実施形態では、Ｘ端子は、後述するＸ端子の接続確認処理を行う場合にもオンされる。しかし、このＸ端子の接続確認処理においては、たとえＸ端子がオンされても閃光の発光が禁止される（後述する第２、第３の実施形態も同様）。換言すれば、本実施形態では、カメラマイコン１００と閃光装置マイコン２００との間の交信用の接続端子であるＣＬＫ端子、ＤＣＳ端子、ＤＳＣ端子等を使用せずに、Ｘ端子を使用して閃光装置マイコン２００に発光開始信号を伝達している。
【００１２】
なお、上記の説明から明らかなように、Ｘ端子には、フォーカルプレーンシャッタの先幕の走行が完了してアパーチャが全開になったことを検知するスイッチ１０２を介して閃光の発光開始信号が供給されるのに対し、他の交信用の接続端子（ＣＬＫ端子、ＤＣＳ端子、ＤＳＣ端子、ＧＮＤ端子）には、カメラマイコン１００、又は閃光装置マイコン２００から直接、データ等が送信されている点で、閃光の発光開始信号を伝えるＸ端子と他の交信用の接続端子とは個別に独立して形成されている。
【００１３】
閃光装置は、閃光装置の動作制御を行う閃光装置マイコン２００、電池２０１、電池２０１から出力される電圧を数百Ｖに昇圧する昇圧回路２０２、昇圧回路２０２で昇圧された電気エネルギーを蓄える主コンデンサ２０３、主コンデンサ２０３に蓄えられた電気エネルギーを光に変換する放電管２０５、放電管２０５の発光開始時に数ｋＶの高電圧を印加して放電管２０５の発光動作を励起させるトリガ部２０４、放電管２０４の発光動作を制御するＩＧＢＴ等のスイッチング素子で構成された発光制御部２０６、及び閃光装置のモード等を表示する表示部２０７を有している。
【００１４】
次に、カメラマイコン１００によるＸ端子の接続確認処理を、図２のフローチャートに基づいて説明する。
【００１５】
カメラマイコン１００は、不図示のレリーズスイッチのボタンが第１ストローク位置まで押下されると、Ｘ端子の接続確認処理を開始する（ステップＳ１００１）。この接続確認処理では、カメラマイコン１００は、Ｘ端子接続確認の準備信号をＤＣＳ端子を介して閃光装置マイコン２００に送信し（ステップ１００２）、送信閃光装置マイコン２００との通信が正常に行われたか否かを判別する（ステップＳ１００３）。この判別処理は、閃光装置マイコン２００からの応答信号の有無を判別することにより行う。
【００１６】
閃光装置マイコン２００との通信が正常に行われた場合は、カメラマイコン１００は、Ｘ端子をＯＮするために、スイッチ１０２にＨ信号を出力する（ステップＳ１００４）。
【００１７】
換言すれば、カメラマイコン１００は、スイッチ１０２を介してＸ端子に発光開始信号を送信する。次に、カメラマイコン１００は、Ｘ端子の接続確認信号を閃光装置マイコン２００に送信し、閃光装置マイコン２００からの返信データを受信する（ステップＳ１００５）。そして、カメラマイコン１００は、ステップＳ１００５で受信した返信データ（後述するＸ＿ＦＬＧの値）に基づいてＸ端子の接続が正常であるか否かを判別する（ステップＳ１００６）。
【００１８】
その結果、Ｘ＿ＦＬＧが「１」でありＸ端子の接続が正常であれば、カメラマイコン１００は、閃光発光が可能である旨の情報をカメラ本体側の表示部１０１に表示すること（充電完了表示）を許可し（ステップＳ１００７）、Ｘ端子の接続確認処理を終了する（ステップＳ１００８）。
【００１９】
一方、Ｘ＿ＦＬＧが「０」でありＸ端子の接続が正常でない場合は、カメラマイコン１００は、カメラ本体側の表示部１０１に対する閃光発光可能情報の表示（充電完了情報の表示）を禁止することにより、閃光発光が不能状態である旨を警告し（ステップＳ１００９）、Ｘ端子の接続確認処理を終了する（ステップＳ１００８）。また、カメラマイコン１００は、ステップＳ１００３で閃光装置マイコン２００との通信が正常に行われなかったと判別した場合も、ステップＳ１００９の警告表示を行う。
【００２０】
なお、Ｘ端子の接続確認処理は、上記のようにレリーズスイッチのボタンが第１ストローク位置まで押下された場合に行うのではなく、レリーズスイッチのボタンが第２ストローク位置まで押下された場合、カメラの電源スイッチがＯＮされた場合、或いは閃光装置の装着検出スイッチにより装着が検出された場合に行うようにしてもよい。また、閃光発光が不能状態である旨の警告は、閃光発光可能情報の表示を禁止するのではなく、閃光発光可能情報の点滅表示、他の警告情報の表示、警告音等により行うことも可能である。また、この警告は、閃光装置が装着されていない場合と同様のカメラ動作情報等を表示することにより行ってもよい。
【００２１】
次に、Ｘ端子接続確認時の閃光装置側の通信割込処理を、図３のフローチャートに基づいて行う。
【００２２】
閃光装置マイコン２００は、カメラマイコン１００からＣＬＫ端子を介して１バイト分のクロック信号が入力されると、通信割込処理を発生する（ステップＳ２０００）。この通信割込処理では、閃光装置マイコン２００は、カメラマイコン１００からの通信データがＸ端子接続確認準備信号（図２のＳ１００２参照）であるか否かを判別し（ステップＳ２００１）、Ｘ端子接続確認準備信号であれば、Ｘ端子接続確認モードに移行するためＴＥＳＴ＿ＦＬＧに「１」を設定し、Ｘ端子の接続検出結果を示すＸ＿ＦＬＧに「０」を設定して（ステップＳ２００５）、本通信割込処理を終了する（ステップＳ２００４）。
【００２３】
一方、カメラマイコン１００からの通信データがＸ端子接続確認準備信号でない場合は、閃光装置マイコン２００は、カメラマイコン１００からの通信データが接続確認信号（図２のステップＳ１００５参照）であるか否かを判別する（ステップＳ２００２）。その結果、接続確認信号であれば、閃光装置マイコン２００は、現時点でのＸ＿ＦＬＧの値をカメラマイコン１００に返信し（ステップＳ２００６）、Ｘ端子接続確認モードを解除するためにＴＥＳＴ＿ＦＬＧに「０」を設定し、Ｘ＿ＦＬＧに「０」を設定して（ステップＳ２００７）、本通信割込処理を終了する（ステップＳ２００４）。
【００２４】
次に、Ｘ端子がＯＮされた場合の閃光装置マイコン２００の処理（割込処理）を、図４のフローチャートに基づいて説明する。
【００２５】
閃光装置マイコン２００は、Ｘ端子がＯＮされると（ステップＳ２１００）、ＴＥＳＴ＿ＦＬＧが「１」であるか否か、すなわち、Ｘ端子接続確認モードが設定されているか否かを判別する（ステップＳ２１０１）。その結果、Ｘ端子接続確認モードが設定されていなければ、閃光装置マイコン２００は、通常の発光処理を行い（ステップＳ２１０２）、本割込処理を終了する（ステップＳ２１０３）。
【００２６】
この通常の発光処理では、閃光装置マイコン２００は、ＳＰＫ端子（図１参照）に「Ｈ」信号を出力し、発光制御部（ＩＧＢＴ）２０６を導通状態とすることにより、主コンデンサ２０３の陽極−放電管２０５−発光制御部２０６−主コンデンサ２０３の陰極の放電ループを形成し、ＴＲＩＧ端子（図１参照）に「Ｈ」信号を出力してトリガ部２０４を動作させて放電管２０５に高電圧を与えることにより、放電管２０５を発光させる。
【００２７】
一方、ステップＳ２１０１にて、Ｘ端子接続確認モードが設定されていると判別された場合は、Ｘ端子接続確認モード中にＸ端子のＯＮを検出したこと、すなわちＸ端子が正常に接続されていることを意味するので、閃光装置マイコン２００は、Ｘ＿ＦＬＧに「１」を設定し（ステップＳ２１０４）、ステップＳ２１０２での発光動作を行なうことなく、本割込処理を終了する（ステップＳ２１０３）。なお、この「１」に設定されたＸ＿ＦＬＧの値は、Ｘ端子が正常に接続されている旨の情報、すなわちＸ端子上で発光開始信号を検出した旨の情報として、図３のステップＳ２００６でカメラマイコン１００に報知される。
【００２８】
このように、本実施形態では、カメラマイコン１００と閃光装置マイコン２００との間の交信用の接続端子であるＣＬＫ端子、ＤＣＳ端子、ＤＳＣ端子等を使用せずに、Ｘ端子を使用して閃光装置マイコン２００に発光開始信号を伝達する場合においても、実際に閃光を発光させることなくＸ端子の接続確認を行っている。
【００２９】
［第２の実施形態］
図５は、第２の実施形態に係るカメラシステムの概略構成を表すブロック図である。第２の実施形態の構成（図５）と第１の実施形態（図１）の構成とでは、カメラマイコン１１００と閃光装置マイコン１２００との間の接続端子部の信号構成が異なっており、その他の構成は同様となっている。だだし、図１と図５では、同一の構成要素であっても別の符号を附している。
【００３０】
すなわち、第２の実施形態における接続部１１１０は、Ｘ端子、発光許可信号を伝達する／ＦＬ＿ＥＮ端子、ＧＮＤ端子を有している。／ＦＬ＿ＥＮ端子は、「Ｌ」で発光許可、「Ｈ」で発光禁止、「Ｌ」から「Ｈ」への変化でＸ端子接続確認処理を指示する端子として機能する。なお、カメラマイコン１１００は、レリーズスイッチのボタンが第１ストローク位置まで押下された場合、又は電源がＯＮされた場合に、／ＦＬ＿ＥＮ端子の電圧を「Ｌ」から「Ｈ」に変化させ、その後、Ｘ＿ＯＮ端子を介してスイッチ１１０２をＯＮさせることにより、Ｘ端子をＯＮさせている。
【００３１】
／ＦＬ＿ＥＮ端子の電圧（信号）が「Ｌ」から「Ｈ」へ変化すると、閃光装置マイコン１２００は、Ｘ端子接続確認モードに係る割込処理を開始する（図６のフローチャートのステップＳ２２００）。この割込処理では、閃光装置マイコン１２００は、Ｘ端子接続確認モードの動作時間を計測するタイマをスタートする（ステップＳ２２０１）。次に、閃光装置マイコン１２００は、Ｘ端子がＯＮしているか否かを判別し（ステップＳ２２０２）、Ｘ端子がＯＮしていれば、Ｘ端子接続確認モード中にＸ端子のＯＮが確認できたこと、すなわちＸ端子が正常に接続されていることを意味するので、閃光装置マイコン１２００は、閃光発光不能状態である旨の警告表示を行わないで（ステップＳ２２０６）、Ｘ端子接続確認処理を終了する（ステップＳ２２０５）。
【００３２】
一方、Ｘ端子がＯＮしていなければ、閃光装置マイコン１２００は、タイマ値が所定時間以上になっているか否かを判別し（ステップＳ２２０３）、タイマ値が所定時間以上になっていなければ、ステップＳ２２０２に戻り、再度、Ｘ端子の状態を判別する。タイマ値が所定時間以上になっている場合は、閃光装置マイコン１２００は、Ｘ端子接続確認モード中にＸ端子のＯＮを確認できなかったことを意味するので、Ｘ端子が接続不良であるものと判定し、閃光発光不能状態である旨の警告表示を閃光装置側の表示部１２０７により行って（ステップＳ２２０４）、Ｘ端子接続確認処理を終了する（ステップＳ２２０５）。
【００３３】
このように、第２の実施形態においても第１の実施形態と同様に、Ｘ端子を使用して閃光装置側に発光開始信号を伝達する場合においても、実際に閃光を発光させることなくＸ端子の接続確認を行うことが可能となる。
【００３４】
［第３の実施形態］
第３の実施形態に係るカメラシステムの構成は、第１の実施形態（図１）とほぼ同様であるが、第３の実施形態では、不図示のＸ端子接続確認スタートスイッチが設けられている点で相違する。
【００３５】
カメラマイコン１００（図１参照）は、Ｘ端子接続確認スタートスイッチがＯＮされると、Ｘ端子接続確認処理を開始し（図７のフローチャートのステップＳ１２０１）、この接続確認処理では、カメラマイコン１００は、Ｘ端子接続確認の準備信号をＤＣＳ端子を介して閃光装置マイコン２００に送信し（ステップ１２０２）、送信閃光装置マイコン２００との通信が正常に行われたか否かを判別する（ステップＳ１２０３）。
【００３６】
その結果、閃光装置マイコン２００との通信が正常に行われた場合は、カメラマイコン１００は、スイッチ１０２をＯＮすることによりＸ端子をＯＮし（ステップＳ１２０４）、Ｘ端子接続確認処理を終了する。一方、閃光装置マイコン２００との通信が正常に行われなかった場合は、カメラマイコン１００は、Ｘ端子をＯＮすることなく、Ｘ端子接続確認処理を終了する。
【００３７】
閃光装置マイコン２００は、カメラマイコン１００からＣＬＫ端子を通じて１バイト分のクロック信号が入力されると、通信割込処理を発生し（図８のフローチャートのステップＳ２３０１）、カメラマイコン１００からの信号がＸ端子接続確認準備信号であるか否かを判別する（ステップＳ２３０２）。
【００３８】
その結果、Ｘ端子接続確認準備信号でなければ、その信号に応じた処理を行って（ステップＳ２３０３）、本通信割込処理を終了する（ステップＳ２３０４）。一方、Ｘ端子接続確認準備信号であれば、ステップＳ２３１０〜２３１３の処理を行って、本通信割込処理を終了する（ステップＳ２３０４）。なお、ステップＳ２３１０〜２３１３の処理は、第２の実施形態に係る図７のステップ２２０１〜２２０４と全く同様なので、ここではその説明を省略する。
【００３９】
このように、第３の実施形態においても、第１、第２の実施形態と同様に、Ｘ端子を使用して閃光装置側に発光開始信号を伝達する場合においても、実際に閃光を発光させることなくＸ端子の接続確認を行うことが可能となる。
【００４０】
なお、本発明の目的は、上記実施形態の機能を実現するソフトウェアのプログラムコードを記録した記憶媒体（または記録媒体）を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００４１】
この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４２】
さらに、記憶媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。本発明を上記記憶媒体に適用する場合、その記憶媒体には、先に説明したフローチャートに対応するプログラムコードが格納されることになる。
【図面の簡単な説明】
【００４３】
【図１】第１の実施形態に係るカメラシステムの概略構成を示すブロック図である。
【図２】第１の実施形態に係るカメラのＸ端子接続確認処理を示すフローチャートである。
【図３】第１の実施形態に係る閃光装置の通信動作を示すフローチャートである。
【図４】第１の実施形態においてＸ端子がＯＮされた場合の閃光装置の処理を示すフローチャートである。
【図５】第２の実施形態に係るカメラシステムの概略構成を表すブロック図である。
【図６】第２の実施形態に係る閃光装置のＸ端子接続確認処理を示すフローチャートである。
【図７】第３の実施形態に係るカメラのＸ端子接続確認処理を示すフローチャートである。
【図８】第３の実施形態に係る閃光装置のＸ端子接続確認動作を示すフローチャートである。
【符号の説明】
【００４４】
１００：カメラマイコン、１０１：表示部、１０２：スイッチ、１１０：接続端子部、２００：閃光装置マイコン、２０７：表示部、１１００：カメラマイコン、１１０１：表示部、１１０２：スイッチ、１１１０：接続端子部、１２００：閃光装置マイコン、１２０７：表示部
【図１】
2005283636.tif 000003
【図２】
2005283636.tif 000004
【図３】
2005283636.tif 000005
【図４】
2005283636.tif 000006
【図５】
2005283636.tif 000007
【図６】
2005283636.tif 000008
【図７】
2005283636.tif 000009
【図８】
2005283636.tif 000010